(57)【要約】      （修正有）【課題】歯科用顕微鏡の動作パラメータを調整するための調節つまみを操作できる歯科用顕微鏡動作パラメータ調整装置を提供する。【解決手段】歯科用顕微鏡の動作パラメータを調整するための調節つまみ３１を操作する歯科用顕微鏡動作パラメータ調整装置３であって、少なくとも１つのペダル１１と、ペダル１１と信号的に接続されていて該ペダル１１の作動により制御信号を生成して送信する信号生成送信機１２とを備えている制御ユニット１と、前記制御信号を受信する受信機２１と、前記制御信号に基づいて受信機２１に作動されるモーター２２と、モーター２２の作動により前記歯科用顕微鏡の前記調節つまみ３１を回転させる伝動機構２３とを備えている駆動ユニット２とを備えている。【選択図】図２
0003224877.tif 000002
【実用新案登録請求の範囲】
【請求項１】
歯科用顕微鏡の動作パラメータを調整するための調節つまみを操作する歯科用顕微鏡動作パラメータ調整装置であって、
少なくとも１つのペダルと、前記ペダルと信号的に接続されていて該ペダルの作動により制御信号を生成して送信する信号生成送信機と、を備えている制御ユニットと、
前記制御信号を受信する受信機と、前記制御信号に基づいて前記受信機に作動されるモーターと、前記モーターの作動により前記歯科用顕微鏡の前記調節つまみを回転させる伝動機構と、を備えている駆動ユニットと、を備えていることを特徴とする歯科用顕微鏡動作パラメータ調整装置。
【請求項２】
前記伝動機構は、
外表面に歯が形成されており、前記歯科用顕微鏡の前記調節つまみに外嵌されるギアリングと、
内表面に前記ギアリングの歯と噛み合う歯が形成されていると共に、前記モーター及び前記ギアリングに掛けられて前記ギアリングの歯と噛み合う歯付ベルトと、を備えていることを特徴とする請求項１に記載の歯科用顕微鏡動作パラメータ調整装置。
【請求項３】
前記信号生成送信機と前記受信機とは、無線通信により信号的に接続されていることを特徴とする請求項１または請求項２に記載の歯科用顕微鏡動作パラメータ調整装置。
【請求項４】
前記制御ユニットは、複数の前記ペダルを備えており、
前記信号生成送信機は、異なる前記ペダルの作動により、該作動した前記ペダルに対応する制御信号を生成して送信することを特徴とする請求項１〜請求項３のいずれか一項に記載の歯科用顕微鏡動作パラメータ調整装置。
【請求項５】
請求項１〜請求項４のいずれか一項に記載の歯科用顕微鏡動作パラメータ調整装置を備えていることを特徴とする歯科用顕微鏡。
【考案の詳細な説明】
【技術分野】
【０００１】
本考案は、顕微鏡用装置に関し、特に歯科用顕微鏡動作パラメータ調整装置に関する。
【背景技術】
【０００２】
図１に示されるように、一般の歯科用顕微鏡９は、対物レンズ９１と、対物レンズ９１の動作パラメータを調整するための調節つまみ９２とを備えている。歯医者が歯科用顕微鏡９を使用して患者を治療または検査する際に、両手で器具を使用する場合が多いが、動作パラメータを調整するには片手を空けて調節つまみ９２を操作する必要がある。そうすると、治療または検査を中断しなければならなく、不便なところが多い。
【考案の概要】
【考案が解決しようとする課題】
【０００３】
上記問題点に鑑みて、本考案は、上記の問題点を解消できる歯科用顕微鏡動作パラメータ調整装置の提供を目的とする。
【課題を解決するための手段】
【０００４】
上記目的を達成すべく、本考案は、歯科用顕微鏡の動作パラメータを調整するための調節つまみを操作する歯科用顕微鏡動作パラメータ調整装置であって、
少なくとも１つのペダルと、前記ペダルと信号的に接続されていて該ペダルの作動により制御信号を生成して送信する信号生成送信機と、を備えている制御ユニットと、
前記制御信号を受信する受信機と、前記制御信号に基づいて前記受信機に作動されるモーターと、前記モーターの作動により前記歯科用顕微鏡の前記調節つまみを回転させる伝動機構と、を備えている駆動ユニットと、を備えている。
【０００５】
また、本考案は、上記の歯科用顕微鏡動作パラメータ調整装置を備えていることを特徴とする歯科用顕微鏡をも提供する。
【考案の効果】
【０００６】
上記構成により、本考案の歯科用顕微鏡動作パラメータ調整装置は、使用者が足でペダルを踏んでペダルを作動させれば、動作パラメータ調整用の調節つまみを回転させることができるので、使用者が動作パラメータ調整する時に、手を空けなくても調整でき、一般の歯科用顕微鏡の欠点を解消できる。
【図面の簡単な説明】
【０００７】
【図１】一般の歯科用顕微鏡を示す部分斜視図である。
【図２】本考案の歯科用顕微鏡動作パラメータ調整装置を示す斜視図である。
【図３】上記歯科用顕微鏡動作パラメータ調整装置を示すブロック図である。
【図４】上記歯科用顕微鏡動作パラメータ調整装置の部分部品図である。
【考案を実施するための形態】
【０００８】
以下、図面を参照しながら、本考案の歯科用顕微鏡動作パラメータ調整装置３の実施形態について詳しく説明する。
【０００９】
図２は本考案の歯科用顕微鏡動作パラメータ調整装置を示す斜視図である。図３は上記歯科用顕微鏡動作パラメータ調整装置を示すブロック図である。図４は上記歯科用顕微鏡動作パラメータ調整装置の部分部品図である。
【００１０】
また、図２及び図４は、本考案の歯科用顕微鏡動作パラメータ調整装置を備えている歯科用顕微鏡をも示している。
【００１１】
図２及び図３に示されるように、本考案の歯科用顕微鏡動作パラメータ調整装置３は、歯科用顕微鏡の動作パラメータを調整するための調節つまみ３１を操作するものであって、制御ユニット１と、駆動ユニット２とを備えている。
【００１２】
動作パラメータとして、フォーカス、倍率、光量、視度などが挙げられる。この実施形態において、調節つまみ３１は、フォーカスを調整するものである。
【００１３】
制御ユニット１は、図２に示されるように、少なくとも１つのペダル１１と、ペダル１１と信号的に接続されていて該ペダル１１の作動により制御信号を生成して送信する信号生成送信機１２とを備えている。
【００１４】
ペダル１１が複数の場合、信号生成送信機１２は、異なるペダル１１の作動により、該作動したペダル１１に対応する制御信号を生成して送信する。
【００１５】
この実施形態において、図２に示されるように、２つのペダル１１ａ、１１ｂを備えている。信号生成送信機１２は、ペダル１１ａの作動により、調節つまみ３１を反時計回りに回転させる第１の制御信号を生成して送信し、且つ、ペダル１１ｂの作動により、調節つまみ３１を時計回りに回転させる第２の制御信号を生成して送信する。
【００１６】
なお、ペダル１１の数と配列方法は、使用者の需要に応じて変更できる。
【００１７】
駆動ユニット２は、図３及び図４に示されるように、信号生成送信機１２からの制御信号を受信する受信機２１と、該制御信号に基づいて受信機２１により作動されるモーター２２と、モーター２２の作動により歯科用顕微鏡の調節つまみ３１を回転させる伝動機構２３とを備えている。
【００１８】
この実施形態において、信号生成送信機１２と受信機２１とは、無線通信により信号的に接続されている。無線通信として、Ｂｌｕｅｔｏｏｔｈ（登録商標）、赤外線、ＷｉＦｉ（登録商標）などが挙げられるが、これらに限らない。なお、有線で接続することもできる。
【００１９】
伝動機構２３は、図４に示されるように、外表面に歯が形成されており、歯科用顕微鏡の調節つまみ３１に外嵌されているギアリング２３１と、内表面にギアリング２３１の歯と噛み合う歯が形成されていると共に、モーター２２及びギアリング２３１に掛けられてギアリング２３１の歯と噛み合っている歯付ベルト２３２とを備えている。
【００２０】
この実施形態において、使用者が足でペダル１１を踏めるようにするために、制御ユニット１は歯科用顕微鏡の近傍の床に配置されている。駆動ユニット２は、歯科用顕微鏡の調節つまみ３１の近傍に外付けされている。外付けにより、設置の利便性が高い上、異なる規格の歯科用顕微鏡に設置でき、汎用性が高い。
【００２１】
この実施形態の構成によれば、図２における左側のペダル１１ａを踏むと、信号生成送信機１２がペダル１１ａの作動を感知して、調節つまみ３１を反時計回りに回転させる第１の制御信号を生成して受信機２１に送信する。受信機２１が第１の制御信号を受信してから、モーター２２を反時計回りに回転させて、歯付ベルト２３２がモーター２２の回転と連動してギアリング２３１を反時計回りに回転させることにより、調節つまみ３１が反時計回り方向（図４における左側の矢印）に回転する。
【００２２】
同じく、図２における右側のペダル１１ｂを踏むと、信号生成送信機１２がペダル１１ｂの作動を感知して、調節つまみ３１を時計回りに回転させる第２の制御信号を生成して受信機２１に送信する。受信機２１が第２の制御信号を受信してから、モーター２２を時計回りに回転させて、歯付ベルト２３２がモーター２２の回転と連動してギアリング２３１を時計回りに回転させることにより、調節つまみ３１が時計回り（図４における右側の矢印）に回転する。それにより、使用者がペダル１１を踏むことにより歯科用顕微鏡のフォーカスを調整できる。
【００２３】
また、ペダル１１を踏む期間中、調節つまみ３１を回転させるので、踏む時間が長いほど、調整される動作パラメータの変化量が大きくなり、直感的に動作パラメータを調整できる。
【００２４】
従って、本考案の歯科用顕微鏡動作パラメータ調整装置は、使用者が動作パラメータ調整する時に、手を空けなくても調整でき、一般の歯科用顕微鏡の欠点を解消できる。
【産業上の利用可能性】
【００２５】
本考案の歯科用顕微鏡動作パラメータ調整装置は、一般の歯科用顕微鏡に適用でき、特に、一般の歯科用顕微鏡の動作パラメータするための調節つまみの操作に好適である。
【符号の説明】
【００２６】
１      制御ユニット
１１、１１ａ、１１ｂ  ペダル
２      駆動ユニット
１２    信号生成送信機
２１    受信機
２２    モーター
２３    伝動機構
２３１  ギアリング
２３２  歯付ベルト
３      歯科用顕微鏡動作パラメータ調整装置
３１    調節つまみ
【図１】
0003224877.tif 000003
【図２】
0003224877.tif 000004
【図３】
0003224877.tif 000005
【図４】
0003224877.tif 000006